(57)【特許請求の範囲】
【請求項１】
椅子の背もたれ取付構造であって、
座よりも上方に延出する後脚の上端部に取付けられる背取付部材と、その背取付部材に止着される背もたれと、前記背取付部材を覆う飾りカバーとを有し、
前記背取付部材は、後脚の上端部から前側上方に延出する首部と、その首部の先端から上方に延出しかつ前記背もたれの背面と止着される止着部を有し、
前記飾りカバーは、前記背取付部材の首部に弾性的に取付く弾性取付部と、前記止着部の背面を覆うカバー本体部を有し、前記弾性取付部は、弾性的に拡開されて前記首部の挿入を許容する開口部を備え、前記首部に前記弾性取付部を取付けることで、前記開口部が前記首部と前記背もたれの間の隙間内に配設される構成になっていることを特徴とする椅子の背もたれ取付構造。
【請求項２】
請求項１に記載の椅子の背もたれ取付構造であって、
飾りカバーの弾性取付部は、首部の挿入を許容する開口部の端縁に沿って、前記首部の前側に張り出して首部に掛止する第一の掛止部と、背取付部材の止着部の下側に張り出して該止着部の下側部に掛止する第二の掛止部を有していることを特徴とする椅子の背もたれ取付構造。
【請求項３】
請求項１または２に記載の椅子の背もたれ取付構造であって、
飾りカバーは、カバー本体部から背取付部材の止着部の前側に張り出す掛止爪を有していることを特徴とする椅子の背もたれ取付構造。
【請求項４】
請求項１から３のいずれかに記載の椅子の背もたれ取付構造であって、
背取付部材の首部の径は、後脚の上端部の径よりも細く、前記首部と前記後脚の上端部との間に段差を生じ、その段差に飾りカバーの弾性取付部が設置されていることを特徴とする椅子の背もたれ取付構造。
【発明の詳細な説明】
【技術分野】
【０００１】
本発明は、椅子の背もたれ取付構造に関する。とりわけ座よりも上方に延出する後脚の上端部に背もたれを取付けるための取付構造に関する。
【背景技術】
【０００２】
座よりも上方に延出する後脚に背もたれを取付けるための取付構造は、従来、特許文献１，２などに開示されている。
特許文献１，２に係る背もたれ取付構造は、座よりも上方に延出する一対の後脚の各上端部から背もたれの前面に張り出すブラケットと、背もたれの後面に張り出すブラケットを有している。そして各ブラケットと背もたれがワンタッチクリップによって取付けられている。
特許文献２に係る取付構造は、座よりも上方に延出する一対の後脚の各上端部から背もたれに張り出すブラケット（垂直舌片）を有している。そしてブラケットが背もたれの基材の背面に取付けられ、ブラケットが背もたれの基材とともに背もたれの表面材によって覆い隠される構成になっている。
【特許文献１】特開平７−３１３２８９号公報
【特許文献２】特開平６−７２２８号公報
【発明の開示】
【発明が解決しようとする課題】
【０００３】
ところが特許文献１に係る取付構造は、ブラケットとワンタッチクリップが剥き出しになっているために、美観性に優れないという問題があった。一方、特許文献２に係る取付構造は、ブラケットとワンタッチクリップが背もたれの表面材によって覆われて美観性に優れているが、背もたれの基材とブラケットとを取付けた後に、これらを表面材によって覆わなければならず、製作工程が面倒であった。さらに構造が複雑になるという問題もあった。
そこで本発明は、組立てが容易でかつ分解も容易で、部品の交換により椅子を長く使用することができ、かつ美観にも優れ得る椅子の背もたれ取付構造を提供することを課題とする。
【課題を解決するための手段】
【０００４】
前記課題を解決するために本発明は、各請求項に記載の通りの構成を備える椅子の背もたれ取付構造であることを特徴とする。
請求項１に記載の発明によると、座よりも上方に延出する後脚の上端部に取付けられる背取付部材と、その背取付部材に止着される背もたれと、背取付部材を覆う飾りカバーとを有している。背取付部材は、後脚の上端部から前側上方に延出する首部と、その首部の先端から上方に延出しかつ背もたれの背面と止着される止着部を有している。そして飾りカバーは、背取付部材の首部に弾性的に取付く弾性取付部と、止着部の背面を覆うカバー本体部を有し、弾性取付部は、弾性的に拡開されて首部の挿入を許容する開口部を備えている。そして首部に弾性取付部を取付けることで、開口部が首部と背もたれの間の隙間内に配設される構成になっている。
【０００５】
したがって背もたれは、背取付部材によって後脚の上端部に止着され、背取付部材は、飾りカバーによって覆われる。そのため背もたれ取付構造は、飾りカバーによって美観が向上され得る。
また飾りカバーは、背取付部材に弾性的に取付くために、ねじなどを必要とせず、簡易に背取付部材に取付けられるとともに背もたれ取付構造の美観を向上し得る。
また飾りカバーの弾性取付部は、首部の挿入を許容する開口部を備え、その開口部が首部と背もたれの間の隙間内に配設される。そのため背もたれ取付構造の美観は、開口部によって損なわれ難い。
そして首部と背もたれ間の隙間は、首部によって確実に形成することができる。そして隙間を利用することで、飾りカバーを背取付部材に対して容易に着脱することができる。
【０００６】
請求項２に記載の発明によると、飾りカバーの弾性取付部は、首部の挿入を許容する開口部の端縁に沿って、首部の前側に張り出して首部に掛止する第一の掛止部と、背取付部材の止着部の下側に張り出して止着部の下側部に掛止する第二の掛止部を有している。
したがって飾りカバーは、第一の掛止部によって背取付部材に対して後方に移動することが規制される。そして第二の掛止部によって上方へ移動することが規制される。そのため飾りカバーは、背取付部材に対して確実かつ安定良く取付けられる。
【０００７】
請求項３に記載の発明によると、飾りカバーは、カバー本体部から背取付部材の止着部の前側に張り出す掛止爪を有している。
したがって飾りカバーは、掛止爪によって背取付部材に対して後方に移動することが規制される。そのため飾りカバーは、背取付部材に対して確実かつ安定良く取付けられる。
【０００８】
請求項４に記載の発明によると、背取付部材の首部の径は、後脚の上端部の径よりも細く、首部と後脚の上端部との間に段差を生じる。そしてその段差に飾りカバーの弾性取付部が設置されている。
したがって首部と後脚の上端部との間の段差が飾りカバーによって埋められ、これによって背もたれ取付構造の美観が向上されている。また飾りカバーは、後脚の上端部によって下方に移動することが防止されている。そのため飾りカバーは、背取付部材に対して確実かつ安定良く取付けられている。
【発明を実施するための最良の形態】
【０００９】
実施の形態を図１〜８にしたがって説明する。
椅子１は、図１〜３に示すようにパイプ材から形成された脚部材２と、脚部材２に取付けられる座３と背もたれ４を有している。背もたれ４と脚部材２の間には、これらを取付けるための一対の背取付部材５と、背取付部材５を覆い隠すための一対の飾りカバー６が設けられている。
【００１０】
脚部材２は、図１に示すように一対の前脚２ａと、一対の後脚２ｃと、前脚２ａと後脚２ｃを連結する一対の連結部２ｂを有している。
前脚２ａと連結部２ｂは、同じ鉄製のパイプ材から形成されており、前脚２ａは、地面に対して立設され、連結部２ｂは、前脚２ａの上端部から後脚２ｃに向けて延出し、先端部が後脚２ｃの中間位置に溶接されている。
【００１１】
連結部２ｂは、中央部が図１に示すように左右中央に向けて屈曲し、他方の連結部２ｂの中央部と溶接されている。
連結部２ｂには、座３を取付けるための座取付部材１０が取付けられており、座取付部材１０を介して連結部２ｂに座３が止着されている。
後脚２ｃは、鉄製のパイプ材から形成されており、地面から立設し、図２，３に示すように座３を越えて上方に延出している。そして後脚２ｃの上端部２ｃ１に背取付部材５が取付けられている。
【００１２】
背取付部材５は、鉄製であって、図４に示すように後脚２ｃに固定される固定部５ａと、固定部５ａから前側上方に斜めに延出する首部５ｂと、首部５ｂから上方に延出する止着部５ｃを一体に有している。
固定部５ａは、後脚２ｃの径よりも細く、後脚２ｃの上端部２ｃ１に挿入され、固定部５ａと上端部２ｃ１が溶接されている。
【００１３】
首部５ｂは、図４に示すように固定部５ａから前側上方に延出し、背もたれ４と首部５ｂの間に隙間７を形成している。首部５ｂの径は、後脚２ｃの上端部２ｃ１の径よりも細い。そのため首部５ｂと上端部２ｃ１の間には、段差８が形成されている。
止着部５ｃは、首部５ｂの上端部から上方に延出しており、上側部にねじ孔５ｄを有し、下側部にねじ孔５ｅを有している。止着部５ｃは、下部の厚みが上部よりも厚く略三角形状であって、下部が「かかと」形状になっている。
【００１４】
背もたれ４は、メラミン化粧板であって、図１，４に示すように四つのボルト１２が内設されている。したがって背もたれ４は、止着部５ｃのねじ孔５ｄ，５ｅにねじ１１を背後から挿通し、ねじ１１の先端部をボルト１２に螺合することで、背取付部材５に止着されている。
【００１５】
飾りカバー６は、ＡＢＳ製であって、図１に示すように背取付部材５の止着部５ｃを覆うカバー本体部６ａと、背取付部材５の首部５ｂに弾性的に取付く弾性取付部６ｂを有している。
カバー本体部６ａは、図１，４に示すように半割円筒状の背面部６ａ１と、略三角形の左右の側面部６ａ２と、止着部５ｃの上部を覆う先端部６ａ３を有している。
カバー本体部６ａは、図５に示すように前側に前側開口部６ｆを有しており、左右の側面部６ａ２の前端（図５手前端）には、前側開口部６ｆに向けて張出す掛止爪６ｃが形成されている。掛止爪６ｃは、背取付部材５の止着部５ｃの前側に掛止して、カバー本体部６ａが止着部５ｃに対して後方に移動することを規制する。
【００１６】
弾性取付部６ｂは、図４，６に示すように円筒体に縦方向の開口部６ｅを設けた形状になっている。
弾性取付部６ｂは、断面Ｃ字状で首部５ｂを覆う首覆い部分６ｂ１と、首覆い部分６ｂ１の前側上部から止着部５ｃの下側に張出す張出し部分６ｂ２を有している。そしてこれら両部分に跨って開口部６ｅが延出しており、開口部６ｅは、図５に示すようにカバー本体部６ａの前側開口部６ｆと連通している。
【００１７】
弾性取付部６ｂは、図４，６に示すように開口部６ｅの端縁に沿って背取付部材５に掛止する一対の掛止部６ｄを有している。各掛止部６ｄは、首部５ｂの前側に張り出して首部５ｂに掛止する第一の掛止部６ｄ１と、止着部５ｃの下側に張り出して止着部５ｃの下側部（かかと部）に掛止する第二の掛止部を一体に有している。
【００１８】
背もたれ４を後脚２ｃの上端部２ｃ１に取付ける場合は、先ず、後脚２ｃの上端部２ｃ１に背取付部材５の固定部５ａを挿入し、固定部５ａを後脚２ｃに溶接する。
そして背もたれ４をねじ１１によって背取付部材５に止着し、止着部５ｃと背もたれ４の背面とを止着する。
【００１９】
次に、背取付部材５の背後から飾りカバー６を前側に向けて押付け、飾りカバー６を弾性変形させる。これにより弾性取付部６ｂの開口部６ｅが拡がり、開口部６ｅに首部５ｂが挿入され、開口部６ｅが縮閉して首部５ｂに、弾性取付部６ｂが取付く。そして開口部６ｅが首部５ｂと背もたれ４間の隙間７内に配設される。
【００２０】
また弾性取付部６ｂは、図４に示すように首部５ｂに取付けられることで、後脚２ｃの上端部２ｃ１と首部５ｂとの間に形成された段差８内に設置される。
したがって段差８が、飾りカバー６の弾性取付部６ｂによって埋められ、これによって背もたれ４の取付構造の美観が向上されている。また飾りカバー６は、後脚２ｃの上端部２ｃ１によって下方に移動することが防止されている。そのため飾りカバー６は、背取付部材５に対して確実かつ安定良く取付けられている。
【００２１】
また椅子１は、図８に示すように積み重ねが可能なスタッキングチェアになっている。
すなわち一対の後脚２ｃの間隔が座３の横幅よりも広く、椅子１の座３の上方に他の椅子１を重ねることができる構成になっている。
【００２２】
以上のようにして背もたれ４の取付構造が構成されている。
すなわち背もたれ４の取付構造は、図４に示すように背取付部材５と背もたれ４と飾りカバー６を有している。そして背取付部材５は、首部５ｂと止着部５ｃを有し、飾りカバー６は、首部５ｂに弾性的に取付く弾性取付部６ｂと、止着部５ｃの背面を覆うカバー本体部６ａを有している。弾性取付部６ｂは、弾性的に拡開されて首部５ｂの挿入を許容する開口部６ｅを備えている。そして首部５ｂに弾性取付部６ｂを取付けることで、開口部６ｅが首部５ｂと背もたれ４の間の隙間７内に配設される。
【００２３】
したがって背もたれ４は、背取付部材５によって後脚２ｃの上端部２ｃ１に止着され、背取付部材５は、飾りカバー６によって覆われる。そのため背もたれ４の取付構造は、飾りカバー６によって美観が向上され得る。
また飾りカバー６は、背取付部材５に弾性的に取付くために、ねじなどを必要とせず、簡易に背取付部材５に取付けられるとともに背もたれ４の取付構造の美観を向上し得る。
また飾りカバー６の弾性取付部６ｂは、首部５ｂの挿入を許容する開口部６ｅを備え、開口部６ｅが首部５ｂと背もたれ４の間の隙間７内に配設される。そのため背もたれ４の取付構造の美観は、開口部６ｅによって損なわれ難い。
【００２４】
そして首部５ｂと背もたれ４間の隙間７は、首部５ｂによって確実に形成することができる。そして隙間７を利用することで、飾りカバー６を背取付部材５に対して容易に着脱することができる。
したがって背もたれ４の取付構造は、組立てが容易でかつ分解も容易である。そのため背もたれ４の取付構造の部品を交換することによって、椅子１を長く使用することができる。
【００２５】
また飾りカバー６の弾性取付部６ｂは、図４，６に示すように第一の掛止部６ｄ１と第二の掛止部６ｄ２を有している。
したがって飾りカバー６は、第一の掛止部６ｄ１によって背取付部材５に対して後方に移動することが規制される。そして第二の掛止部６ｄ２によって上方へ移動することが規制される。そのため飾りカバー６は、背取付部材５に対して確実かつ安定良く取付けられる。
【００２６】
また飾りカバー６は、図５に示すように掛止爪６ｃを有している。
したがって飾りカバー６は、掛止爪６ｃによって背取付部材５に対して後方に移動することが規制される。そのため飾りカバー６は、背取付部材５に対して確実かつ安定良く取付けられる。
【００２７】
（他の実施の形態）
本発明は、上記の実施の形態に限定されず、以下の形態であっても良い。
例えば、上記の実施の形態に係る飾りカバー６は、図４に示すように第一の掛止部６ｄ１と第二の掛止部６ｄ２を一体に有する掛止部６ｄを有していた。しかし飾りカバー６が第一の掛止部６ｄ１と第二の掛止部６ｄ２とを別個の位置に有している形態であっても良い。
【図面の簡単な説明】
【００２８】
【図１】椅子の分解斜視図である。
【図２】椅子の左側面図である。
【図３】椅子の正面図である。
【図４】飾りカバーと背もたれを断面にした際の背もたれ取付構造の左側面図である。
【図５】図４のＶ−Ｖ線断面矢視図である。
【図６】図４のＶＩ−ＶＩ線断面矢視図である。
【図７】図４のＶＩＩ−ＶＩＩ線断面矢視図である。
【図８】椅子を積み上げた状態の左側面図である。
【符号の説明】
【００２９】
１…椅子
２…脚部材
２ａ…前脚
２ｂ…連結部
２ｃ…後脚
２ｃ１…上端部
３…座
４…背もたれ
５…背取付部材
５ａ…固定部
５ｂ…首部
５ｃ…止着部
６…飾りカバー
６ａ…カバー本体部
６ｂ…弾性取付部
６ｃ…掛止爪
６ｄ…掛止部
６ｄ１…第一の掛止部
６ｄ２…第二の掛止部
６ｅ…開口部
６ｆ…前側開口部
７…隙間
８…段差
１０…座取付部材
【図１】
0004563288.tif 000002
【図２】
0004563288.tif 000003
【図３】
0004563288.tif 000004
【図４】
0004563288.tif 000005
【図５】
0004563288.tif 000006
【図６】
0004563288.tif 000007
【図７】
0004563288.tif 000008
【図８】
0004563288.tif 000009